(57)【要約】      （修正有）【課題】軽量性を維持しつつ且つ、支持部とカバー部材の共働による耐荷重性及び全体強度の向上を行うことのできる簡単な構造の二重床構造を得ること。【解決手段】所定間隔をおいて床面上に二次元的に配置される支持部１０と、その上面１０ａにて支持された状態で設置されるカバー部材１４と、を有し、カバー部材１４には、溝部と直交する方向に伸長する補強用リブ１６ａが形成され、位置決め用構成部１８が補強用リブ１６ａの伸長方向の延長線上に形成されている。【選択図】図１
2006144543.tif 000002
【特許請求の範囲】
【請求項１】
所定間隔をおいて床面上に設置される支持部と、該支持部を連結する結合部と、該支持部の上面にて支持されるカバー部材とを有し、該支持部相互間に形成された溝部に配線又は配管を配置する二重床構造において、
前記カバー部材は、
前記溝部の延在方向と略直交する方向に伸長する補強用リブを有し、
前記溝部の延在方向と直交する補強用リブの伸長方向延長線上に前記支持部との間で位置決めを行う位置決め部が形成されたことを特徴とする二重床構造。
【請求項２】
前記位置決め部は、
前記カバー部材側に設けられた凸部と、
前記支持部側に設けられ前記凸部が係合する凹部と、によって構成されたことを特徴とする請求項１に記載の二重床構造。
【請求項３】
前記支持部は、中空構造とされ、
内部には、支持部内側面上面から下方へ垂下する円筒状リブと、
該円筒状リブを略中心として該円筒状リブの側部から四方又は八方に伸長する板状リブが設けられたことを特徴とする請求項１又は２の何れか１項に記載の二重床構造。
【請求項４】
前記支持部材は樹脂材にて構成され、前記カバー部材は鋼板にて構成されたことを特徴とする請求項１から３の何れか１項に記載の二重床構造。
【発明の詳細な説明】
【技術分野】
【０００１】
本発明は二重床構造、特に支持部とその上面に設置されるカバー部材とを有する二重床構造の改良に関するものである。
【背景技術】
【０００２】
従来、二重床構造としては、床面上に複数の台座部分としての支持部を所定間隔毎に設置し、その上面にカバー部材を設置してカバー部材と床面との間に配線や配管用の空間を形成するものが知られている。このような二重床構造におけるカバー部材は、板状のものが用いられ、支持部に対して固定されるものではなくその上面に載置し横ずれ防止のための係合部が設けられるのが通常である。
【０００３】
このような構造の二重床構造では、軽量で耐荷重性に優れ 、強度の安定して得られる安価な二重床構造が望まれている。この軽量化と耐荷重性等を向上させるためには、カバー部材の厚さをできるだけ薄いものとし、あるいはこのカバー部材にリブを形成することなどによってその軽量化と耐荷重性の向上が図られている。
【０００４】
一般に、カバー部材はアルミや鋼板などによって形成され、厚さ方向にプレス成形などによりリブを曲げ形成し、鋼板やアルミの板厚を極力薄いものとしつつ低コストで耐荷重性の向上を図っている。例えば、特開２０００−４５５０１号に示された（図２や図８）二重床構造のカバー部材には、それぞれ鎖線や破線にて示されたリブが形成されている。
【０００５】
また、特開平７−１８９４６５号公報の図１３に示された配線溝蓋（カバー部材に相当するもの）にも縁部に沿ったリブやその中央領域に形成されたリブの存在が示されている。
【０００６】
【特許文献１】特開２０００−４５５０１号
【特許文献２】特開平７−１８９４６５号
【発明の開示】
【発明が解決しようとする課題】
【０００７】
上記従来の二重床構造、すなわちカバー部材の薄型化を図り、かつ補強リブを形成する技術では、補強リブの形成箇所とカバー部材の位置決めのための構成の位置関係は、特に、関連性を持たせたものではなかった。
【０００８】
例えば、図１９に示した上述の特開平７−１８９４６５号公報（図１３）に示されたカバー部材１９では、図上ハッチングを付した部分Ｘが支持部にて支持される部分である。このように、リブの形成されていない部分にて支持される構成をとっており、その部分に位置決めのための構成も存在していない。
【０００９】
従って、カバー部材の上方から荷重がかかった場合における安定性の面も考慮した耐荷重性及び全体強度の向上という課題が存在していた。
【００１０】
本発明は、上記課題に鑑みてなされたものであり、その目的は軽量性を維持したまま耐荷重性の向上を図り、支持部との共働による強度アップを図ることのできる簡単な構造の二重床構造を提供することにある。
【課題を解決するための手段】
【００１１】
上記目的を達成するため、請求項１に係る二重床構造は、
所定間隔をおいて床面上に設置される支持部と、該支持部を連結する結合部と、  該支持部の上面にて支持されるカバー部材とを有し、該支持部相互間に形成された溝部に配線又は配管を配置する二重床構造において、前記カバー部材は、前記溝部の延在方向と略直交する方向に伸長する補強用リブを有し、前記溝部の延在方向と直交する補強用リブの伸長方向延長線上に前記支持部との間で位置決めを行う位置決め部が形成された特徴とする。これにより、荷重がかかった場合の全体的な安定性と強度の向上が図られている。
【００１２】
請求項２に係る二重床構造は、
前記位置決め部が、前記カバー部材側に設けられた凸部と、前記支持部側に設けられ前記凸部が係合する凹部と、によって構成されたことを特徴とする。これにより、簡単な構造により、軽量性を維持ししたままでのカバー部材の支持部との共働による強度アップが図られている。
【００１３】
請求項３に係る二重床構造は、
前記支持部が、中空構造とされ、内部には、支持部内側面上面から下方へ垂下する円筒状リブと、該円筒状リブを略中心として該円筒状リブの側部から四方又は八方に伸長する板状リブが設けられたことを特徴とする。これにより、支持部の的確な補強が図られている。
【００１４】
請求項４に係る二重床構造は、
前記支持部材は樹脂材にて構成され、前記カバー部材は鋼板にて構成されたことを特徴とする。
【発明の効果】
【００１５】
以上説明したように本発明に係る二重床構造によれば、カバー部材の構造の複雑化を伴うことなくその軽量性を維持したまま耐荷重性の向上を図ることができ、また支持部との組み合わせ状態による強度アップをも達成することが可能となる。
【発明を実施するための最良の形態】
【００１６】
以下、図面に基づいて本発明の実施の形態について詳細に説明する。図１は実施の形態に係る二重床構造を構成する部材の例を示しており、（ａ）は支持部の下方斜め下から見た一部切り欠き図であり、同図（ｂ）は各構成要素の部分斜視図である。
【００１７】
まず、支持部１０は図示のように中空構造に形成されており、内部には支持部上面１０ａから下方へ垂下する垂直リブ１０ｂが形成されている。本実施の形態では、垂直リブ１０ｂは中央の円筒形部分１０ｃから四方に垂直リブが形成されている。
【００１８】
また、支持部１０の上面部１０ａには凹部としての凹溝１２が形成されている。この凹溝１２は、同図（ｂ）の斜視図から明らかなように断面円弧状の底面部を有する溝として形成されている。この凹溝１２は、後述するカバー部材１４に形成される補強用リブ１６の形状並びに形成位置に対応して形成されるものであり、本実施の形態では３本の補強用リブに対応するように凹溝１２は、１２ａ、１２ｂ、１２ｃの３本が形成されている。なお、支持部１０の上面部１０ａの一方の隅部には円形の凹部１３が形成されており、略球形の底面を有するように形成されている。これは、カバー部材１４に形成される位置決め用凸部１８を受け入れるための凹部である。
【００１９】
なお、図示のように、位置決め用凸部１８の形成される位置は、支持部１０相互間に形成される配線用の間である空間である溝部の延在方向に直交する方向に伸長する補強用リブ１６ａの伸長方向の延長線上に設定されている。
【００２０】
カバー部材１４は、同図（ｂ）に示されているように板状に形成されており、アルミニウムや鋼板などでプレス成形などにより製造され、できるだけ軽量化を図るように薄い板状に形成される。そして、このカバー部材１４は、床面との間に配線や配管などの空間を形成するものであるために、この上部には机などの種々のものが載置されることになる。従って、その強度を図るべく打ち抜きプレス成形により補強用リブ１６が形成されている。本実施の形態では四角形に形成された平板状のカバー部材１４の四方の辺に沿って形成された縁部リブ１６ａ、中央領域に対角線上に形成された中央リブ１６ｂが示されている。そして、このカバー部材１４の四隅には位置決め用の凸部１８が形成されている。
【００２１】
なお、同図（ｂ）には支持部１０の上面１０ａにカバー部材１４を設置する際にその中間に介在させる緩衝部材２０が示されている。この緩衝部材２０は、弾力性のあるゴムや樹脂によって形成されるものである。
【００２２】
この緩衝部材２０を介在させることで、支持部１０上面、凹部１２，１３とカバー部材１４のリブ１６との係合、又は嵌合状態を維持した状態で、什器設置時、歩行時等における荷重を緩衝効果で和らげることができると共に、ガタツキやその際に生じるガタツキ音の発生を抑制することができる。
【００２３】
図２は、支持部１０上にカバー部材１４が設置された状態が示されている。同図（ａ）は設置されたカバー部材１４の上方から見た状態が示されている。そして、同図（ｂ）及び（ｃ）は各リブ１６及び凸部１８の凹溝１２及び凹部１３への収まり状態を示す説明図である。
【００２４】
同図（ｂ）は、各リブ１６及び凸部１８が凹溝１２及び凹部１３へほぼ嵌合状態で収まる構成をとった場合の例である。図上、緩衝部材２０は省略されているが、緩衝部材２０を介した状態でリブ１６及び凸部１８はそれぞれ対応する凹溝１２及び凹部１３に密着する嵌合状態となっている。
【００２５】
同図（ｃ）はカバー部材１４が設置された状態で各リブ１６及び凸部１８と対応する凹溝１２及び凹部１３との間にクリアランスが確保される構成をとった場合の例が示されている。図において緩衝部材２０は省略されているが緩衝部材２０を介してカバー部材１４が設置された状態で、ある程度遊びを確保できる程度のクリアランスＳが確保されている。
【００２６】
同図（ｂ）のような嵌合設置構造をとった場合には、複数のリブ１６と支持部１０上面の凹溝１２とがしっかりと組み合わされた状況が確保されるので、これらカバー部材１４及び支持部１０とから構成された二重床構造体の全体としての強度と安定性がより向上された状態となる。
【００２７】
即ち、カバー部材１４のリブ１６と支持部１０上面の凹溝１２との係合或いは嵌合状態は、そのリブ１６と凹溝１２とが相互に、その略断面円弧状の底面部の形状における曲面での面接触で支持されるので、例えば、従来のようなリブ１６及び凹溝１２がない場合の単なる平面による支持構造に比べて支持された領域と支持されていない領域との境界部分の強度、耐荷重性を著しく向上させることが可能となる。
【００２８】
一方、同図（ｃ）に示されたようなクリアランスＳを確保した構造の場合には、設置時のカバー部材配置作業がより容易であり、また製造時における精度もよりラフなもので足りるので生産性及び作業性の向上が図られる。
【００２９】
なお、同図（ｂ）及び（ｃ）のいずれの構造をとった場合にもカバー部材１４の支持部１０の上面１０ａに載置される平坦面部分１４ａの部分は支持部１０の平坦面部分に面接触した状態で設置されることは同様である。
【００３０】
図３は、カバー部材１４に形成されるリブの異なるパターンの例を示している。図示のように、本実施の形態では位置決め用凸部１８は形成されておらず、縁部リブ１６ａ、１６ｃ及び中央リブ１６ｂの支持部１０上方領域での伸長長さＬがより長く形成されているものである。これによって、長さＬに亘ってより長くリブ１６と支持部１０上面の凹溝１２との係合、或いは嵌合状態が確保さるので、カバー部材１４の耐荷重性についてのより大きな向上が図られている。なお、図２で示したように支持部１０の上面１０ａの凹溝や凹部との関係において嵌合構造またはクリアランスを確保した構造をとることができることについては図２で説明したものと同様である。
【００３１】
図４は、支持部１０の上面１０ａに形成される凹溝１２及び凹部１３と支持部１０内に形成されるリブの構造との関係を示している。同図（ａ）に示された構造は、各凹溝１２ａ、１２ｂ、１２ｃがそれぞれ支持部１０の垂直リブ１０ｂを横切りあるいはそれに沿った位置に形成されたものである。また、位置決め用凸部１８に対応する凹部１３も垂直リブ１０ｂの上部位置に形成されている。
【００３２】
このような構成をとることにより、カバー部材１４に加えられた荷重を支持部１０の凹溝１２や凹部１３で受ける際にその強度のより強い領域で受け止めることができるので、全体として支持部１０による耐荷重性が向上することとなる。
【００３３】
同図（ｂ）は、同図（ａ）の場合の凹溝１２や凹部１３が垂直リブ１０ｂを横切る様に形成し、あるいはその上方で沿うように形成される例ではなく、凹溝１２や凹部１３が垂直リブ１０ｂで囲まれた領域に配置される構成をとったものである。これによって、カバー部材１４のリブ１６を受ける凹溝１２、凹部１３が、その近傍位置で垂直リブ１０ｂに囲まれる用に構成されているので、支持部１０の上面が荷重によって変形、或いは撓むことを抑制できる。このような構成によっても荷重を分散して垂直リブ１０ｂで受けることができるので、同様にカバー部材１４に加えられる荷重を支持部１０により安定して受けることができることとなる。
【００３４】
図５及び図６は、支持部１０が複数所定間隔をおいて結合された実際の支持パネル１００の例が示されており、図５は平面図、図６は側面図、図７は裏面図がそれぞれ示されている。図示のように各支持部１０のサイズ並びにその上面１０ａに形成された凹溝１２や凹部１３の配置及び個数はそれぞれの位置に応じて異なっている。
【００３５】
そして、この各支持部１０に形成された凹溝１２や凹部１３の位置に対応すべく、すなわち、上面に設置されるカバー部材からの荷重に的確に対応できるように各支持部１０の内部には各リブ１０ｂが形成されている。なお、各支持部１０は格子状に配置された結合部２２によって連結されている。この結合部２２は、図６R>６から理解されるように所定の幅を有する帯状の形状を有している。
【００３６】
なお、図において、支持パネル１００を構成する支持部は３種類のパターンから成っており、四隅に位置する支持部について１０−１の符号を付し、中央領域の４つの支持部には１０−２の符号を付し、四隅の支持部１０−１の間に在る支持部には１０−３の符号を付している。
【００３７】
図８から図１０は、上述の凹溝１２及び凹部１３と各パターンの支持部１０内に形成された垂直リブ１０ｂとの位置関係をより具体的に示す図である。図示のように、支持部１０を複数結合して形成された支持パネル１００の隅部に配置される支持部１０−１が図８に示されており、この支持部１０−１の内部の垂直リブ１０ｂは、中央の円筒状のリブ１０ｃから四隅及びその中間方向のそれぞれに８方向に放射状に延びるように形成されている。
【００３８】
そして、凹溝１２及び凹部１３は、それぞれ垂直リブ１０ｂの上方に位置するように形成される。すなわち、凹溝１２ａ及び凹溝１２ｂは、複数の垂直リブ１０ｂの上方を通過するように形成され、凹溝１２ｂはひとつの垂直リブ１０ｂの上方でそれに沿うように伸長するように形成されている。そして、位置決め用凸部１８に対応する凹部１３は、同じく１本の垂直リブ１０ｂの真上位置に形成されている。
【００３９】
このような構成をとることにより、カバー部材１４のリブ構成とその下方でカバー部材を支える支持部１０の構成との共同関係を得ることができ全体としての耐荷重性の向上安定が図られている。
【００４０】
図９は、図５に示された支持パネル１００の中央に位置する４つの支持部１０−２のリブ構成について示している。図示のように、支持部１０−２内の円筒状のリブ部分１０ｃはその中心位置からやや偏移した位置に形成されている。そして、同じく垂直リブ１０ｂが８方向に放射状に延びるように形成されている。これにより、図８の構成と同様にこの上面部１０ａに形成される凹溝１２及び凹部１３を垂直リブ１０ｂにより的確にサポートする構成が確保されている。
【００４１】
図１０は、支持パネル１００の四隅の支持部１０−１に挟まれた２つの側辺部の支持部１０−３のリブ構成について示している。この支持部１０−３のリブ構成も円筒状リブ１０ｃの位置を中心から偏移させた位置に設置し、同じく８方向に垂直リブが延びていくように形成されている。これにより、図８及び図９に示された構成と同様に支持部１０の上面部１０ａに形成される凹溝１２及び凹部１３を下方から的確にサポートするリブ構成が達成されている。
【００４２】
次に、図１１及び図１２は、図５ないし図７R>７に示された支持パネル１００とは異なる構成の支持パネル２００の例が示されている。同図１１は平面図、同図１２は裏面図である。図示のように、各支持部１０の上面１０ａに形成される凹溝１２や凹部１３はこれに設置されるカバー部材１４のリブ構成に対応して様々な配置構成がとられていることが理解される。
【００４３】
また、各支持部１０内部のリブ構成については、本図のように図８ないし図１０に示されたような放射状の垂直リブ１０ｂを形成することなく外側の枠上の壁部のみでリブを構成をとることも可能である。このように支持部１０内のリブ構成については設置される荷重を考慮して種々の構成がとられるものである。
【００４４】
図１３及び図１４も他の構成の支持パネル３００を示しており、上記図１１及び図１２で説明したと同様に異なるパターンの凹溝１２が形成されている。なおこの実施の形態では位置決め凹凸部に対応する凹部１３は設けられていない。
【００４５】
図１４に示す各支持部１０は、カバー部材１４単位毎に支持パネル３００を分割可能となるように４つの中空ブロックから成る構成になっており、十字状の切断可能な切り込み部分を形成している。
【００４６】
次に、図１５は、上述の図５ないし図７に示された支持パネル１００上に実際にカバー部材１４が順次設置されていく状態を示している。このように鋼板にて形成されたほぼ正方形のカバー部材１４は、順番に支持部１０上に設置されて行くがその際にカバー部材１０に形成された縁部リブ１６ａ、１６ｃ並び中央リブ１６ｂをそれぞれ対応する支持部１０の凹溝１２及び凹部１３に嵌合あるいはクリアランスをもって没入させながら設置されるものである。
【００４７】
次に、図１６は、異なる支持パネル構造、すなわちいわゆる配線溝型パネルの場合を例にとって示している。本発明は、このように様々な支持部の構造に対応することができる。本図に示された構成では、支持部１０は樹脂材、金属材、コンクリートなどで基礎形状を形成し、それを樹脂などのカバー部材で覆って繋いだ支持部１０が配置されて経路空間が形成され、その支持部１０相互間に配線や配管用の溝部分１１を形成した配線溝型パネル４００である。このような配線溝型パネル４００では、その経路空間の溝部分１１を覆うためにカバー部材３０やカバー部材４０が設置されるものである。
【００４８】
図１７には、これらカバー部材３０，４０の平面図が示されている。同図（ａ）のカバー部材３０は直進する溝部を覆うための構成であり、同図（ｂ）のカバー部材４０はそれら直進する溝部の交差点部分に設置されるカバー部材である。これらのカバー部材３０、４０にもそれぞれ補強用リブ３２、４２が形成され、それぞれ支持部１０の上面にて支持される領域まで延在するように形成されている。
【００４９】
一方、支持部１０には、これに対応する位置にこれを受け入れるための凹部３４、４４が、支持部１０の周縁に形成された段差部分上面に支持される様に、それぞれ形成されている（図１６参照）。カバー部材３０及び４０の設置はそれぞれの補強用リブ３２及び４２の凸部分が支持部１０の凹部３４、４４にそれぞれ嵌合あるいはクリアランスＳをもって没入するように設置されていくものである。これにより各カバー部材３０、４０の補強用リブは十分な強度をもつ長さに設置することができ、かつ支持部１０との嵌合構造の場合には、両者は全体として極めて高い強度を確保することができるものである。
【００５０】
この様に、配線用の溝部の延在方向と直交する方向に伸長する補強用リブ３２の両端部は、位置決め用凸部としての作用を奏している。この実施の形態では、補強用リブ３２と位置決め用凸部とが連続した構成となっているが、溝部と直交する補強用リブ３２の伸長方向の延長線上に位置決め用凸部が位置する構成が確保され、支持部とカバー部材の共働による耐荷重性、強度アップが図られている。
【００５１】
本発明は、上記各実施の形態に示された対応に限定されるものではなく、発明の要旨の範囲内で種々の変形が可能である。例えば、図１８に示したように、カバー部材１４に形成される縁部リブ１６ａは、全体を１本でつないだ枠状の構成とすることが可能であり、その内部に中央リブ１６ｂを支持部上方領域まで延びるように形成することでより強固なリブ構成並びに支持部との共働による構造の強度アップを達成することができるものである。
【図面の簡単な説明】
【００５２】
【図１】（ａ）は支持部の内部構造を示す一部切り欠き斜視図であり、同図（ｂ）は実施の形態の構成を示す部分斜視図である。
【図２】（ａ）はカバー部材の設置状態を示す部分平面図、（ｂ）はカバー部材のリブと支持部の凹溝並びに凹部との嵌合状態を示す説明図、（ｃ）はカバー部材のリブと支持部の凹溝及び凹部とのクリアランスを確保した配置状態を示す説明図である。
【図３】他のリブ構成を有するカバー部材の設置状態を示す説明図である。
【図４】（ａ）及び（ｂ）は支持部の凹溝及び凹部の形成位置と内部リブ構成との関係を示す説明図である。
【図５】支持パネルの全体構成を示す平面図である。
【図６】図５の支持パネルの側面図である。
【図７】図５の支持パネルの裏面図である。
【図８】図５の支持パネルにおける各支持部の構成説明図である。
【図９】図５の支持パネルにおける各支持部の構成説明図である。
【図１０】図５の支持パネルにおける各支持部の構成説明図である。
【図１１】支持パネルの他の構成を示す平面図である。
【図１２】支持パネルの他の構成を示す裏面図である。
【図１３】支持パネルの他の構成を示す平面図である。
【図１４】支持パネルの他の構成を示す裏面図である。
【図１５】支持パネル上へのカバー部材設置動作説明図である。
【図１６】本発明を配線溝型パネルに適用する場合の構成説明図である。
【図１７】（ａ）及び（ｂ）は図１６のパネルに用いられるカバー部材説明図である。
【図１８】カバー部材の他のリブ構成を示す説明図である。
【図１９】従来のカバー部材の他のリブ構成を示す説明図である。
【符号の説明】
【００５３】
１０ 支持部
１０ａ 上面部
１０ｂ 垂直リブ
１２ 凹溝
１３ 凹部
１４ カバー部材
１６ 補強用リブ
１８ 位置決め用凸部
【図１】
2006144543.tif 000003
【図２】
2006144543.tif 000004
【図３】
2006144543.tif 000005
【図４】
2006144543.tif 000006
【図５】
2006144543.tif 000007
【図６】
2006144543.tif 000008
【図７】
2006144543.tif 000009
【図８】
2006144543.tif 000010
【図９】
2006144543.tif 000011
【図１０】
2006144543.tif 000012
【図１１】
2006144543.tif 000013
【図１２】
2006144543.tif 000014
【図１３】
2006144543.tif 000015
【図１４】
2006144543.tif 000016
【図１５】
2006144543.tif 000017
【図１６】
2006144543.tif 000018
【図１７】
2006144543.tif 000019
【図１８】
2006144543.tif 000020
【図１９】
2006144543.tif 000021